(57)【要約】      （修正有）【課題】携帯電話機単独で着信時に着信メロディーと連動して再生される動画をカスタマイズして他の携帯電話機の使用者との差別化を図ること。【解決手段】携帯電話機において、メモリー領域４９１に記憶された複数の着信メロディーデータ及び複数の動画データから一の着信メロディーデータ及び一の動画データを任意に設定すると、着信時再生データとして設定した一の着信メロディーデータ及び一の動画データは、１組のデータとしてメモリー領域４９２に格納される。メモリー領域４９２に格納した一の着信メロディーデータ及び一の動画データは、書き換えが行われるまで保持し続けられる。この状態で、携帯電話機に着信があると、これを契機に、メモリー領域４９２に格納保持された一の着信メロディーデータ及び一の動画データが再生される。このとき、着信メロディーと連動して再生される動画は、使用者の好みに応じてカスタマイズされたものとなる。【選択図】図３
2006174044.tif 000002
【特許請求の範囲】
【請求項１】
第１の記憶手段及び第２の記憶手段を有し、第１の記憶手段には複数の着信メロディーデータ及び複数の動画データが記憶可能な携帯電話機と広域通信回線網などのネットワークを経由してアクセス可能なサーバーであって、このサーバーは、上記携帯電話機からダウンロード要求信号を受信すると、これに応じて、以下１）〜４）の機能を少なくとも含む、当該携帯電話機内の制御手段により実行可能な携帯電話機用の着信メロディー・動画再生プログラムを、当該携帯電話機にダウンロード可能とすることを特徴とするサーバー。
１）第１の操作により、上記第１の記憶手段に記憶されている複数の着信メロディーデータのうちから着信時に再生させる一の着信メロディーデータを任意に選択して設定する機能
２）第２の操作により、上記第１の記憶手段に記憶されている複数の動画データのうちから着信時に再生させる一の動画データを任意に選択して設定する機能
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続ける機能
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させる機能
【請求項２】
第１の記憶手段及び第２の記憶手段を有し、第１の記憶手段には複数の着信メロディーデータ及び複数の動画データが記憶可能な携帯電話機と広域通信回線網などのネットワークを経由してアクセス可能なサーバーを制御するためのプログラムであって、この制御プログラムは、上記携帯電話機からダウンロード要求信号を受信すると、これに応じて、以下１）〜４）の機能を少なくとも含む、当該携帯電話機内の制御手段により実行可能な携帯電話機用の着信メロディー・動画再生プログラムを、当該携帯電話機にダウンロード可能とするために、当該着信メロディー・動画再生プログラムを当該携帯電話機に対して繰り出すための手順を含み、この手順は、上記サーバー内の制御手段により実行されることを特徴とするサーバーの制御プログラム。
１）第１の操作により、上記第１の記憶手段に記憶されている複数の着信メロディーデータのうちから着信時に再生させる一の着信メロディーデータを任意に選択して設定する機能
２）第２の操作により、上記第１の記憶手段に記憶されている複数の動画データのうちから着信時に再生させる一の動画データを任意に選択して設定する機能
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続ける機能
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させる機能
【請求項３】
第１の記憶部及び第２の記憶部を有し、第１の記憶手段には複数の着信メロディーデータ及び複数の動画データが記憶可能な携帯電話機に着信を契機として着信メロディーデータ及び動画データを再生させるためのプログラムであって、この着信メロディー・動画再生プログラムは、以下１）〜４）の手順を少なくとも含み、これら１）〜４）の手順は、上記携帯電話機内の制御手段により実行されることを特徴とする携帯電話機の着信メロディー・動画再生プログラム。
１）第１の操作により、上記第１の記憶手段に記憶されている複数の着信メロディーデータのうちから着信時に再生させる一の着信メロディーデータを任意に選択して設定するための手順
２）第２の操作により、上記第１の記憶手段に記憶されている複数の動画データのうちから着信時に再生させる一の動画データを任意に選択して設定するための手順
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続けるための手順
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させるための手順
【請求項４】
第１の記憶手段及び第２の記憶手段を有し、第１の記憶手段には複数の着信メロディーデータ及び複数の動画データが記憶可能な携帯電話機にその着信メロディー・動画再生プログラムの内容がインストールされるプログラム記憶媒体であって、このプログラム記憶媒体に記憶されている着信メロディー・動画再生プログラムは、以下１）〜４）の手順を少なくとも含み、これら１）〜４）の手順は、上記携帯電話機内の制御手段により実行されることを特徴とするプログラム記憶媒体。
１）第１の操作により、上記第１の記憶手段に記憶されている複数の着信メロディーデータのうちから着信時に再生させる一の着信メロディーデータを任意に選択して設定するための手順
２）第２の操作により、上記第１の記憶手段に記憶されている複数の動画データのうちから着信時に再生させる一の動画データを任意に選択して設定するための手順
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続けるための手順
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させるための手順
【発明の詳細な説明】
【技術分野】
【０００１】
本発明は、携帯電話機の着信時に着信メロディー及び動画を再生させるための技術に関する。
【背景技術】
【０００２】
近時、ＰＨＳを含む携帯電話機においては、着信メロディーと動画とを組み合わせた着信報知が可能となっている。
【０００３】
かかる着信報知を可能とした技術として、特許文献１にて提案されているものを挙げることができる。
【０００４】
特許文献１では、携帯電話機からのダウンロード要求に応じて、着信メロディーデータ及び動画データから形成された複合データであって、着信メロディーデータを再生させ、且つ、再生される着信メロディーデータに連動して動画データの着信画面の各々のフレームを所定のタイミングで表示させるための制御情報を更に有する複合データを、インターネットを経由して同携帯電話機に送信する旨が開示されている。
【０００５】
【特許文献１】特開２００２−２４７２０６号公報
【発明の開示】
【発明が解決しようとする課題】
【０００６】
携帯電話機の使用者は、上記特許文献１に開示された技術を利用して、自身の携帯電話機に対し着信時に着信メロディー及び動画の両者を再生する機能を付与できることになった。
【０００７】
しかしながら、インターネットを経由してダウンロードされた着信メロディーデータ及び動画データは、制御情報と共に複合データとなっているため、以下の問題点が指摘されている。
【０００８】
具体的には、着信メロディーは気に入っているのだが動画が気に入らないとか、動画は気に入っているのに着信メロディーが気に入らない、といったことが起こり易い。特に、動画についてはそのデータ量の問題からダウンロードする前にその内容を十分に確認させることが難しく、いわゆるカラオケのように、着信メロディーが選択されると強制的に当該着信メロディーデータに結合されたある特定の動画データを得るしかない、といったサービス形態のものしか存在しなかった。そのため、携帯電話機の使用者個々の嗜好に合った着信態様を提供できているとは言い難いものであった。
【０００９】
つまり、携帯電話機の使用者のニーズとしては、自身の携帯電話機単独で着信メロディーと連動して再生される動画を好みに応じてカスタマイズし、他の携帯電話機の使用者との着信報知態様を差別化することにあると、本願発明者は考えた。
【００１０】
すなわち、携帯電話機からインターネットを経由して着信メロディー・動画配信サイトにアクセスし、このアクセスした配信サイト上で着信メロディーデータと連動して再生させる新たな動画データを使用者ではなく当該サイトの製作者側が強制的に選択し、この選択した新たな動画デーや及び着信メロディーデータの複合データを携帯電話機にインターネットを経由してダウンロードしなければならない、といったサービス形態では、使用者の好みを満足させることができないのである。
【００１１】
また、上記の配信サイト製作者側の問題としては、着信メロディーや動画の両者には著作権上の問題が生じる。例えば、ある着信メロディーデータに対して特定の動画データを複合させる場合に、着信メロディーの著作権者及び動画の著作権者の両者の同意を得なければ法的な問題を将来する可能性があるため、その同意を取り付ける作業は極めて困難である。
【００１２】
さらに、ある特定の着信メロディーデータに対して、複数の動画データの組み合わせを可能としようとすると、その作業は更に膨大なものとなることが予測される。
【００１３】
本発明は、上記の実情に鑑みなされたもので、ネットワークを経由することなく、携帯電話機単独で当該携帯電話機の着信時に着信メロディーと連動して再生される動画をカスタマイズして他の携帯電話機の使用者との差別化を図ることができる、サーバー、サーバーの制御プログラム、及び携帯電話機の着信メロディー・動画再生プログラム、並びにプログラム記憶媒体を提供することを目的とする。
【課題を解決するための手段】
【００１４】
第１の観点に係る発明は、第１の記憶手段及び第２の記憶手段を有し、第１の記憶手段には複数の着信メロディーデータ及び複数の動画データが記憶可能な携帯電話機と広域通信回線網などのネットワークを経由してアクセス可能なサーバーであって、このサーバーは、上記携帯電話機からダウンロード要求信号を受信すると、これに応じて、以下１）〜４）の機能を少なくとも含む、当該携帯電話機内の制御手段により実行可能な携帯電話機用の着信メロディー・動画再生プログラムを、当該携帯電話機にダウンロード可能とする。
１）第１の操作により、上記第１の記憶手段に記憶されている複数の着信メロディーデータのうちから着信時に再生させる一の着信メロディーデータを任意に選択して設定する機能
２）第２の操作により、上記第１の記憶手段に記憶されている複数の動画データのうちから着信時に再生させる一の動画データを任意に選択して設定する機能
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続ける機能
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させる機能
【００１５】
第２の観点に係る発明は、第１の記憶手段及び第２の記憶手段を有し、第１の記憶手段には複数の着信メロディーデータ及び複数の動画データが記憶可能な携帯電話機と広域通信回線網などのネットワークを経由してアクセス可能なサーバーを制御するためのプログラムであって、この制御プログラムは、上記携帯電話機からダウンロード要求信号を受信すると、これに応じて、以下１）〜４）の機能を少なくとも含む、当該携帯電話機内の制御手段により実行可能な携帯電話機用の着信メロディー・動画再生プログラムを、当該携帯電話機にダウンロード可能とするために、当該着信メロディー・動画再生プログラムを当該携帯電話機に対して繰り出すための手順を含み、この手順は、上記サーバー内の制御手段により実行される。
１）第１の操作により、上記第１の記憶手段に記憶されている複数の着信メロディーデータのうちから着信時に再生させる一の着信メロディーデータを任意に選択して設定する機能
２）第２の操作により、上記第１の記憶手段に記憶されている複数の動画データのうちから着信時に再生させる一の動画データを任意に選択して設定する機能
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続ける機能
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させる機能
【００１６】
第３の観点に係る発明は、第１の記憶部及び第２の記憶部を有し、第１の記憶手段には複数の着信メロディーデータ及び複数の動画データが記憶可能な携帯電話機に着信を契機として着信メロディーデータ及び動画データを再生させるためのプログラムであって、この着信メロディー・動画再生プログラムは、以下１）〜４）の手順を少なくとも含み、これら１）〜４）の手順は、上記携帯電話機内の制御手段により実行される。
１）第１の操作により、上記第１の記憶手段に記憶されている複数の着信メロディーデータのうちから着信時に再生させる一の着信メロディーデータを任意に選択して設定するための手順
２）第２の操作により、上記第１の記憶手段に記憶されている複数の動画データのうちから着信時に再生させる一の動画データを任意に選択して設定するための手順
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続けるための手順
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させるための手順
【００１７】
第４の観点に係る発明は、第１の記憶手段及び第２の記憶手段を有し、第１の記憶手段には複数の着信メロディーデータ及び複数の動画データが記憶可能な携帯電話機にその着信メロディー・動画再生プログラムの内容がインストールされるプログラム記憶媒体であって、このプログラム記憶媒体に記憶されている着信メロディー・動画再生プログラムには、以下１）〜４）の手順が少なくとも含まれており、これら１）〜４）の手順は、上記携帯電話機内の制御手段により実行される。
１）第１の操作により、上記第１の記憶手段に記憶されている複数の着信メロディーデータのうちから着信時に再生させる一の着信メロディーデータを任意に選択して設定するための手順
２）第２の操作により、上記第１の記憶手段に記憶されている複数の動画データのうちから着信時に再生させる一の動画データを任意に選択して設定するための手順
３）上記着信時再生着信メロディーデータとして設定された上記一の着信メロディーデータ及び上記着信時再生動画データとして設定された上記一の動画データを、１組のデータとして上記第２の記憶手段に格納し、且つ、これら第２の記憶手段に１組のデータとして格納された上記一の着信メロディーデータ及び上記一の動画データをその書き換えが行われるまで保持し続けるための手順
４）着信を契機として、上記第２の記憶手段に上記１組のデータとして格納保持されている上記一の着信メロディーデータ及び上記一の動画データを読み出すと共にこれら読み出された上記一の着信メロディーデータ及び上記一の動画データの両者を再生させるための手順
【００１８】
なお、上記第１の記憶手段及び第２の記憶手段は、１つの半導体メモリーのメモリー領域を２つの領域に分離して使用可能にしているものをも含む概念である。
【発明の効果】
【００１９】
携帯電話機において、第１の操作により、第１の記憶手段に記憶されている複数の着信メロディーデータのうちから着信時に再生させる一の着信メロディーデータを任意に選択して設定すると共に、第２の操作により、第１の記憶手段に記憶されている複数の動画データのうちから着信時に再生させる一の動画データを任意に選択して設定すると、これら着信時再生着信メロディーとして設定された一の着信メロディーデータ及び着信時再生動画データとして設定された一の動画データは、１組のデータとして第２の記憶手段に格納される。これら第２の記憶手段に１組のデータとして格納された一の着信メロディーデータ及び一の動画データは、その書き換えが行われるまで保持し続けられる。この状態で、上記携帯電話機に着信があると、これを契機に第２の記憶手段に１組のデータとして格納保持されている、着信時再生着信メロディーデータとしての一の着信メロディーデータ及び着信時再生動画データとしての一の動画データが読み出されると共にこれら読み出された一の着信メロディーデータ及び一の動画データの両者が再生される。このとき、着信メロディーと連動して再生される動画は、携帯電話機の使用者の好みに応じてカスタマイズされたものとなる。このように、ネットワークを経由することなく、携帯電話機単独で、着信時に着信メロディーと共に再生される動画をカスタマイズして、他の携帯電話機の使用者との着信報知態様を差別化することができる。
【発明を実施するための最良の形態】
【００２０】
以下、本発明の実施の形態を添付図面に基づき詳細に説明する。
【００２１】
図１は本発明が適用されるシステムの構成を簡略化して示す図である。図１において、参照符号１はサービス提供サーバーであって、このサーバー１は、インターネット２及び基地局３を介して、携帯電話機４やパーソナルコンピューター（以下、「ＰＣ」という）５とデータの送受信が可能である。
【００２２】
携帯電話機４は、図外の他の携帯電話機との間で通話や電子メールの交換が可能であり、且つ、基地局３及びインターネット２を経由してサーバー１に対してアクセス可能である。それゆえ、携帯電話機４には、サーバー１から種々のサービスが提供される。この携帯電話機４では、特に、サーバー１側で製作された着信メロディー・動画配信サイトから着信メロディーデータ及び動画データを当該携帯電話機４にダウンロードしたり、サーバー１側で製作された着信メロディー・動画再生プログラム配信サイトから着信メロディー・動画再生プログラムを当該携帯電話機４にダウンロードしたりすることができる。
【００２３】
他方、ＰＣ５も、基地局３及びインターネット２を経由してサーバー１に対してアクセス可能である。それゆえ、ＰＣ５にも、サーバー１から種々のサービスが提供される。このＰＣ５では、特に上記の着信メロディー・動画配信サイトから着信メロディーデータ及び動画データをハードディスク（以下、「ＨＤＤ」という）やメモリーカード６に保存したり、上記の着信メロディー・動画再生プログラム配信サイトから着信メロディー・動画再生プログラムをＨＤＤやメモリーカード６に保存したりすることができる。
【００２４】
上記ＨＤＤに保存された着信メロディーデータ及び動画データや着信メロディー・動画再生プログラムは、ＰＣ５に携帯電話機４をＵＳＢケーブルなどのケーブルを介して接続することによって、当該携帯電話機４にコピーされたり、インストールされたりする。これに対し、上記メモリーカード６に保存された着信メロディーデータ及び動画データや着信メロディー・動画再生プログラムは、当該メモリーカード６を携帯電話機４内に装填することによって、当該携帯電話機４にコピーされたり、インストールされたりする。
【００２５】
図２はサーバーのハードウェアー構成を示すブロック図である。図２を参照して、サーバー１は、当該サーバー１の制御中枢を司る制御手段１１と、インターネット２と接続して携帯電話機４やＰＣ５との間で電子データの送受を行うための通信手段１２と、認証コードを携帯電話機４やＰＣ５に送出するためのプログラム、着信メロディーデータを携帯電話機４やＰＣ５にダウンロードするためのプログラム、動画データを携帯電話機４やＰＣ５にダウンロードするためのプログラム及び着信メロディー・動画再生プログラムを携帯電話機４やＰＣ５にダウンロードするためのプログラムを記憶している記憶手段１３と、複数の着信メロディーデータを格納している第１のデータベース１４１と、複数の動画データを格納している第２のデータベース１４２と、着信メロディー・動画再生プログラムを格納している第３のデータベース１４３と、携帯電話機４やＰＣ５の使用者の住所、氏名、年齢及び性別などの個人情報（ＩＤ情報）が格納される第４のデータベース１４４とを備えている。
【００２６】
制御手段１１は、ＣＰＵなどを用いて構成される。この制御手段１１には、上記の通信手段１２、記憶手段１３及びデータベース１４１〜１４４が接続されている。通信手段１２は、通信用インターフェースなどを用いて構成される。記憶手段１３は、ＲＯＭなどを用いて構成される。
【００２７】
第１のデータベース１４１に格納された複数の着信メロディーデータには、着信メロディーデータ毎にアドレスが付されている。この着信メロディーデータ毎に付されたアドレスを基にして、制御手段１１は、第１のデータベース１４１に格納された複数の着信メロディーデータに関するタイトルリストを作成する。
【００２８】
第２のデータベース１４２に格納された複数の動画データには、動画データ毎にアドレスが付されている。この動画データ毎に付されたアドレスを基にして、制御手段１１は、第２のデータベース１４２に格納された複数の動画データに関するタイトル画像リストを作成する。
【００２９】
第４のデータベース１４４に格納された個人情報は、携帯電話機４やＰＣ５の使用者毎にその携帯電話番号や電子メールアドレスに対応付けられていれる。この携帯電話番号や電子メールアドレスに対応付けられた個人情報を基にして、制御手段１１は、認証コードを作成する。
【００３０】
図３は携帯電話機のハードウェアー構成を示すブロック図である。図３を参照して、携帯電話機４は、当該携帯電話機４の制御中枢を司る制御手段４１と、アンテナ４２１を含み、基地局３との間で信号の送受を行うための送受信手段４２と、その表示面に待ち受け画面や種々の情報を表示するための表示手段４３と、通話時に音声を入力するためのマイク４４と、通話時における通話先からの音声や効果音などを出力するためのスピーカー４５と、電話番号や電子メールアドレス及び電子メールの題名や本文を入力する際などに操作される操作手段４６と、システムプログラムなどを予め記憶しているＲＯＭ４７と、システムプログラムを動作させるためにＲＯＭ４７のワーキングメモリーとして機能するＲＡＭ４８と、着信メロディーデータ及び動画データ並びに着信メロディー・動画再生プログラムを記憶するための不揮発性メモリー４９とを備えている。
【００３１】
制御手段４１は、ＣＰＵなどを用いて構成される。この制御手段４１には、上記の送受信手段４２、表示手段４３、マイク４４、スピーカー４５、操作手段４６、ＲＯＭ４７、ＲＡＭ４８及び不揮発性メモリー４９が接続されている。
【００３２】
表示手段４３は、液晶表示装置などを用いて構成される。この表示手段４３では、特に、着信を契機として着信時再生動画データとして設定された一の動画データが表示面上に再生表示される。他方、スピーカー４５では、特に、着信を契機として着信時再生着信メロディーデータとして設定された一の着信メロディーデータが再生出力される。
【００３３】
操作手段４６は、７つのスイッチ４６１，４６２，４６３，４６４，４６５，４６６，４６７を含んでいる。そのうちのキーボタンスイッチ４６１は、相手先の電話番号や電子メールアドレスを入力したり、電子メールの題名や本文を作成したりするときに操作されるスイッチであって、その表面にはアルファベットや数字などが標示印刷されている。多方向スイッチ４６２は、各種の機能を選択する際に操作されるスイッチであって、その中央には確定キースイッチが備えられている。受話ボタンスイッチ４６３は、電話を受ける際に使用されるスイッチである。終話ボタンスイッチ４６４は、電話を終える際に操作されるスイッチである。メール送信スイッチ４６５は、電子メールを相手先に送信する際に操作されるスイッチである。アクセス要求スイッチ４６６は、インターネット２に接続しサーバー１にアクセスする際に操作されるスイッチである。ダウンロード要求スイッチ４６７は、インターネット２を経由してサーバー１から着信メロディーデータ及び動画データ並びに着信メロディー・動画再生プログラムなどをダウンロードする際に操作されるスイッチである。
【００３４】
不揮発性メモリー４９は、フラッシュメモリーなどの電源を切っても記憶した内容が保存されるメモリーで構成される。この不揮発性メモリー４９には、３つのメモリー領域４９１，４９２，４９３が形成されている。
【００３５】
第１のメモリー領域４９１には、複数の着信メロディーデータ及び複数の動画データが記憶される。この第１のメモリー領域４９１に記憶された複数の着信メロディーデータ及び複数の動画データには、携帯電話機４の出荷前にプレインストールされたデータはもとより、上記のインターネット２を経由してサーバー１からダウンロードしたデータ及びＰＣ５のＨＤＤやメモリーカード６からコピーしたデータも含まれている。
【００３６】
第２のメモリー領域４９２には、第１のメモリー領域４９１に記憶された複数の着信メロディーデータ及び複数の動画データのうちから着信時再生着信メロディーデータとして選択して設定された一の着信メロディーデータ及び着信時再生動画データとして選択して設定された一の動画データが１組のデータとして記憶される。
【００３７】
第３のメモリー領域４９３には、着信メロディー・動画再生プログラムが記憶される。この着信メロディー・動画再生プログラムの第３のメモリー領域４９３へのインストールは、上述したように、インターネット２を経由してサーバー１からダウンロードしたり、ＰＣ５のＨＤＤやメモリーカード６からコピーしたりすることによって達成される。
【００３８】
上記第１のメモリー領域４９１に記憶された複数の着信メロディーデータ及び複数の動画データは、図４（Ａ）及び図４（Ｂ）並びに図５（Ａ）及び図５（Ｂ）に示すように、データの種類に応じて分類され、分類されたデータ毎にアドレスが付された状態でテーブル管理される。それゆえ、着信メロディーデータ毎に付されたアドレスを基にして、制御手段４１は、第１のメモリー領域４９１に記憶された複数の着信メロディーデータに関するタイトルリストを作成できる。他方、動画データ毎に付されたアドレスを基にして、制御手段４１は、第１のメモリー領域４９１に記憶された複数の動画データに関するタイトル画像リストを作成できる。
【００３９】
上記複数の動画データは、それぞれ、複数のフレームデータから成り、最初のフレームデータにはその旨を示す識別符号が付されている一方、最後のフレームデータにはその旨を示す識別符号が付されている。それゆえ、制御手段４１は、動画データの始まりと終わりを特定することができ、それによって着信を契機として動画データを再生する際にその動画データの最初のフレームデータから再生を行うことができる。また、制御手段４１は、動画データの始まりである最初のフレームデータを特定できることから、動画データの最初のフレームデータを表示手段４３の表示面に表示させて待ち受け画面とすることもできる。
【００４０】
なお、ＰＣ５は、デスクトップ型でもノート型でもよいが、その構成は従来公知の構成と同様であるので説明を省略する。
【００４１】
図６はインターネットを経由してサーバーから着信メロディーデータ及び動画データを携帯電話機にダウンロードする際の処理動作の流れを示すフローチャートである。図６を参照して、携帯電話機４の制御手段４１は、アクセス要求スイッチ４６６が操作されるのを待つ（ステップＳ１）。
【００４２】
上記のアクセス要求操作がなされると、制御手段４１は、送受信手段４２及びアンテナ４２１を介してアクセス要求信号を送信する。この携帯電話機４からのアクセス要求信号を受信すると、基地局３は、インターネット２を経由してサーバー１に当該アクセス要求信号を送信する。
【００４３】
通信手段１２を介して携帯電話機４からのアクセス要求信号を受信すると、サーバー１の制御手段１１は、当該アクセス要求信号に重畳された携帯電話機４の使用者の個人情報を確認する（ステップＳ２）。具体的には、制御手段１１は、アクセス要求信号の発信元である携帯電話機４の携帯電話番号をパラメーターとして、第４のデータベース１４４に格納された個人情報を検索する。その結果、ヒットした場合には、制御手段１１は、記憶手段１３に記憶されている認証コード送出プログラムを読み出し、この読み出したプログラムに従って、通信手段１２を介して認証コードを送出する。他方、ヒットしない場合には、制御手段１１は、アクセス要求のあった携帯電話機４の使用者の個人情報を第４のデータベース１４４に格納し、その後、上記の認証コード送出プログラムに従って、通信手段１２を介して認証コードを送出する。このサーバー１から送出された認証コードは、インターネット２を経由して基地局３に受信される。基地局３は、受信した認証コードを上記のアクセス要求携帯電話機４に送信する。
【００４４】
アンテナ４２１及び送受信手段４２を介して認証コードを受信すると、携帯電話機４の制御手段４１は、サーバー１から送出されてきた認証コードを取得する。認証コードを取得すると、制御手段４１は、送受信手段４２及びアンテナ４２１を介して認証コード取得信号を送信する。この携帯電話機４からの認証コード取得信号を受信すると、基地局３は、インターネット２を経由してサーバー１に当該認証コード取得信号を送信する。
【００４５】
通信手段１２を介して携帯電話機４からの認証コード取得信号を受信すると、サーバー１の制御手段１１は、通信手段１２を介して、第１のデータベース１４１に格納された複数の着信メロディーデータに関するタイトルリストを送出する。このサーバー１から送出された着信メロディータイトルリストは、インターネット２を経由して基地局３に受信される。基地局３は、受信した着信メロディータイトルリストを認証コードの取得があった携帯電話機４に送信する。
【００４６】
アンテナ４２１及び送受信手段４２を介して着信メロディータイトルリストを受信すると、携帯電話機４の制御手段４１は、表示手段４３の表示面に第１のデータベース１４１に格納された複数の着信メロディータに関するタイトルリストを表示する（ステップＳ３）。その後、制御手段４１は、携帯電話機４の使用者により多方向スイッチ４６２などが操作され、それによって着信メロディーデータが選択されるのを待つ（ステップＳ４）。
【００４７】
上記の着信メロディーデータの選択操作がなされると、携帯電話機４の制御手段４１は、選択された着信メロディーデータをダウンロードするために、携帯電話機４の使用者によりダウンロード要求スイッチ４６７が操作されるのを待つ（ステップＳ５）。
【００４８】
上記のダウンロード要求操作がなされると、携帯電話機４の制御手段４１は、送受信手段４２及びアンテナ４２１を介して着信メロディーデータダウンロード要求信号を送信する。この携帯電話機４から送信された着信メロディーデータダウンロード要求信号を受信すると、基地局３は、インターネット２を経由してサーバー１に当該着信メロディーデータダウンロード要求信号を送信する。
【００４９】
通信手段１２を介して携帯電話機４からの着信メロディーデータダウンロード要求信号を受信すると、サーバー１の制御手段１１は、第１のデータベース１４１に格納された複数の着信メロディーデータのうちから上記ステップＳ４において選択された着信メロディーデータを読み出す（ステップＳ６）。そうすると、制御手段１１は、記憶手段１３に記憶された着信メロディーデータダウンロードプログラムを読み出し、この読み出したプログラムに従って、通信手段１２を介して上記の読み出した選択着信メロディーデータを繰り出す。このサーバー１から繰り出された上記の選択着信メロディーデータは、インターネット２を経由して基地局３に受信される。基地局３は、受信した選択着信メロディーデータをダウンロード要求のあった携帯電話機４に送信する。
【００５０】
アンテナ４２１及び送受信手段４２を介して選択着信メロディーデータを受信すると、携帯電話機４の制御手段４１は、当該選択着信メロディーデータを不揮発性メモリー４９の第１のメモリー領域４９１に書き込み保存する（ステップＳ７）。
【００５１】
選択着信メロディーデータを保存すると、携帯電話機４の制御手段４１は、送受信手段４２及びアンテナ４２１を介して着信メロディーデータダウンロード完了信号を送信する。この携帯電話機４から送信された着信メロディーダウンロード完了信号を受信すると、基地局３は、インターネット２を経由してサーバー１に当該着信メロディーデータダウンロード完了信号を送信する。
【００５２】
通信手段１２を介して着信メロディーデータダウンロード完了信号を受信すると、サーバー１の制御手段１１は、通信手段１２を介して、第２のデータベース１４２に格納された複数の動画データに関するタイトル画像リストを送出する。このサーバー１から送出されたタイトル画像リストは、インターネット２を経由して基地局３に受信される。基地局３は、受信したタイトル画像リストを着信メロディーのダウンロードが完了した携帯電話機４に送信する。
【００５３】
アンテナ４２１及び送受信手段４２を介してタイトル画像リストを受信すると、携帯電話機４の制御手段４１は、表示手段４３の表示面に第２のデータベース１４２に格納された複数の動画データに関するタイトル画像リストを表示する（ステップＳ８）。その後、制御手段４１は、携帯電話機４の使用者により多方向スイッチ４６２などが操作され、それによって動画データが選択されるのを待つ（ステップＳ９）。
【００５４】
上記の動画データの選択操作がなされると、携帯電話機４の制御手段４１は、選択された動画データをダウンロードするために、携帯電話機４の使用者によりダウンロード要求スイッチ４６７が操作されるのを待つ（ステップＳ１０）。
【００５５】
上記のダウンロード要求操作がなされると、携帯電話機４の制御手段４１は、送受信手段４２及びアンテナ４２１を介して動画データダウンロード要求信号を送信する。この携帯電話機４から送信された動画データダウンロード要求信号を受信すると、基地局３は、インターネット２を経由してサーバー１に当該動画データダウンロード要求信号を送信する。
【００５６】
通信手段１２を介して携帯電話機４からの動画データダウンロード要求信号を受信すると、サーバー１の制御手段１１は、第２のデータベース１４２に格納された複数の動画データのうちから上記ステップＳ９において選択された動画データを読み出す（ステップＳ１１）。そうすると、制御手段１１は、記憶手段１３に記憶された動画データダウンロードプログラムを読み出し、この読み出したプログラムに従って、通信手段１２を介して上記の読み出した選択動画データを繰り出す。このサーバー１から繰り出された上記の選択動画データは、インターネット２を経由して基地局３に受信される。基地局３は、受信した選択動画データをダウンロード要求のあった携帯電話機４に送信する。
【００５７】
アンテナ４２１及び送受信手段４２を介して動画データを受信すると、携帯電話機４の制御手段４１は、当該選択動画データを不揮発性メモリー４９の第１のメモリー領域４９１に書き込み保存する（ステップＳ１２）。
【００５８】
図７はインターネットを経由してサーバーから着信メロディーデータ及び動画データをＰＣにダウンロードする際の処理動作の流れを示すフローチャートである。図７を参照して、ＰＣ５は、当該ＰＣ５の使用者によりマウスなどのポインティングデバイスのアクセス要求操作がなされるのを待つ（ステップＳ１１）。
【００５９】
上記のアクセス要求操作がなされると、ＰＣ５は、アクセス要求信号を送信する。このＰＣ５からのアクセス要求信号を受信すると、基地局３は、インターネット２を経由してサーバー１に当該アクセス要求信号を送信する。
【００６０】
ＰＣ５からのアクセス要求信号を受信すると、サーバー１の制御手段１１は、当該アクセス要求信号に重畳されたＰＣ５の使用者の個人情報を確認する（ステップＳ１２）。具体的には、制御手段１１は、アクセス要求信号の発信元であるＰＣ５の電子メールアドレスをパラメーターとして、第４のデータベース１４４に格納された個人情報を検索する。その結果、ヒットした場合には、制御手段１１は、認証コード送出プログラムに従って、認証コードを送出する。他方、ヒットしない場合には、制御手段１１は、アクセス要求のあったＰＣ５の使用者の個人情報を第４のデータベース１４４に格納し、その後、上記の認証コード送出プログラムに従って、認証コードを送出する。このサーバー１から送出された認証コードは、インターネット２を経由して基地局３に受信される。基地局３は、受信した認証コードを上記のアクセスＰＣ５に送信する。
【００６１】
認証コードを受信すると、ＰＣ５は、サーバー１から送出されてきた認証コードを取得する。認証コードを取得すると、ＰＣ５は、認証コード取得信号を送信する。このＰＣ５からの認証コード取得信号を受信すると、基地局３は、インターネット２を経由してサーバー１に当該認証コード取得信号を送信する。
【００６２】
ＰＣ５からの認証コード取得信号を受信すると、サーバー１の制御手段１１は、第１のデータベース１４１に格納された複数の着信メロディーに関するタイトルリストを送出する。このサーバー１から送出された着信メロディータイトルリストは、インターネット２を経由して基地局３に受信される。基地局３は、受信した着信メロディータイトルリストを認証コードの取得があったＰＣ５に送信する。
【００６３】
着信メロディータイトルリストを受信すると、ＰＣ５は、ディスプレイに第１のデータベース１４１に格納された複数の着信メロディーに関するタイトルリストを表示する（ステップＳ１３）。その後、ＰＣ５は、当該ＰＣ５の使用者によりポインティングデバイスが操作され、それによって着信メロディーデータが選択されるのを待つ（ステップＳ１４）。
【００６４】
上記の着信メロディーデータの選択操作がなされると、ＰＣ５は、選択された着信メロディーデータをダウンロードするために、ＰＣ５の使用者によりポインティングデバイスのダウンロード要求操作がなされるのを待つ（ステップＳ１５）。
【００６５】
上記のダウンロード要求操作がなされると、ＰＣ５のは、着信メロディーデータダウンロード要求信号を送信する。このＰＣ５から送信された着信メロディーデータダウンロード要求信号を受信すると、基地局３は、インターネット２を経由してサーバー１に当該着信メロディーデータダウンロード要求信号を送信する。
【００６６】
ＰＣ５からの着信メロディーデータダウンロード要求信号を受信すると、サーバー１の制御手段１１は、第１のデータベース１４１に格納された複数の着信メロディーデータのうちから上記ステップＳ１４において選択された着信メロディーデータを読み出す（ステップＳ１６）。そうすると、制御手段１１は、着信メロディーデータダウンロードプログラムに従って、上記の読み出した選択着信メロディーデータを繰り出す。このサーバー１から繰り出された上記の選択着信メロディーデータは、インターネット２を経由して基地局３に受信される。基地局３は、受信した選択着信メロディーデータをダウンロード要求のあったＰＣ５に送信する。
【００６７】
選択着信メロディーデータを受信すると、ＰＣ５は、当該着信メロディーデータの保存先を指定するために、ポインティングデバイスが操作されるのを待つ（ステップＳ１７）。
【００６８】
上記の着信メロディーデータの保存先指定操作がなされると、ＰＣ５は、選択着信メロディーデータを上記ステップＳ１７での指定先に保存する（ステップＳ１８）。具体的には、ＨＤＤが保存先に指定された場合には、当該ＨＤＤに選択着信メロディーデータが保存される。他方、メモリーカード６が保存先に指定された場合には、当該メモリーカード６に選択着信メロディーデータが保存される。
【００６９】
着信メロディーデータを保存すると、ＰＣ５は、着信メロディーデータダウンロード完了信号を送信する。このＰＣ５から送信された着信メロディーダウンロード完了信号を受信すると、基地局３は、インターネット２を経由してサーバー１に当該着信メロディーデータダウンロード完了信号を送信する。
【００７０】
着信メロディーデータダウンロード完了信号を受信すると、サーバー１の制御手段１１は、第２のデータベース１４２に格納された複数の動画データに関するタイトル画像リストを送出する。このサーバー１から送出されたタイトル画像リストは、インターネット２を経由して基地局３に受信される。基地局３は、受信したタイトル画像リストを着信メロディーのダウンロードが完了したＰＣ５に送信する。
【００７１】
タイトル画像リストを受信すると、ＰＣ５は、ディスプレイに第２のデータベース１４２に格納された複数の動画データに関するタイトル画像リストを表示する（ステップＳ１９）。その後、ＰＣ５は、当該ＰＣ５の使用者によりポインティングデバイスが操作され、それによって動画データが選択されるのを待つ（ステップＳ２０）。
【００７２】
上記の動画データの選択操作がなされると、ＰＣ５は、選択された動画データをダウンロードするために、ＰＣ５の使用者によりポインティングデバイスのダウンロード要求操作がなされるのを待つ（ステップＳ２１）。
【００７３】
ダウンロード要求スイッチ４６７の操作がなされると、ＰＣ５は、動画データダウンロード要求信号を送信する。このＰＣ５から送信された動画データダウンロード要求信号を受信すると、基地局３は、インターネット２を経由してサーバー１に当該動画データダウンロード要求信号を送信する。
【００７４】
ＰＣ５からの動画データダウンロード要求信号を受信すると、サーバー１の制御手段１１は、第２のデータベース１４２に格納された複数の動画データのうちから上記ステップＳ２０において選択された動画データを読み出す（ステップＳ２２）。そうすると、制御手段１１は、動画データダウンロードプログラムに従って、上記の読み出した選択動画データを繰り出す。このサーバー１から繰り出された上記の選択動画データは、インターネット２を経由して基地局３に受信される。基地局３は、受信した選択動画データをダウンロード要求のあった携帯電話機４に送信する。
【００７５】
選択動画データを受信すると、ＰＣ５は、当該動画データの保存先を指定するために、ポインティングデバイスが操作されるのを待つ（ステップＳ２３）。
【００７６】
上記の動画データの保存先指定操作がなされると、ＰＣ５は、動画データを上記ステップＳ２３での指定先に保存する（ステップＳ２４）。具体的には、ＨＤＤが保存先に指定された場合には、当該ＨＤＤに動画データが保存される。他方、メモリーカード６が保存先に指定された場合には、当該メモリーカード６に動画データが保存される。
【００７７】
上記のようにして、ＨＤＤに保存された着信メロディーデータ及び動画データは、ＰＣ５に携帯電話機４に接続することによって、当該携帯電話機４の不揮発性メモリー４９の第１のメモリー領域４９１にコピーされる。他方、メモリーカード６に保存された着信メロディーデータ及び動画データは、当該メモリーカード６を携帯電話機４内に装填することによって、当該携帯電話機４の不揮発性メモリー４９の第１のメモリー領域４９１にコピーされる。
【００７８】
図８はインターネットを経由してサーバーから着信メロディー・動画再生プログラムを携帯電話機にダウンロードする際の処理動作の流れを示すフローチャートである。図８を参照して、携帯電話機４の制御手段４１は、アクセス要求スイッチ４６６が操作されるのを待つ（ステップＳ１０１）。
【００７９】
上記のアクセス要求操作がなされると、制御手段４１は、送受信手段４２及びアンテナ４２１を介してアクセス要求信号を送信する。この携帯電話機４からのアクセス要求信号は、基地局３及びインターネット２を経由してサーバー１に送信される。
【００８０】
通信手段１２を介して携帯電話機４からのアクセス要求信号を受信すると、サーバー１の制御手段１１は、当該アクセス要求信号に重畳された携帯電話機４の使用者の個人情報を確認する（ステップＳ１０２）。個人情報を確認すると、制御手段１１は、認証コード送出プログラムに従って、通信手段１２を介して認証コードを送出する。このサーバー１から送出された認証コードは、インターネット２及び基地局３を経由してアクセス要求のあった携帯電話機４に送信される。
【００８１】
アンテナ４２１及び送受信手段４２を介して認証コードを受信すると、携帯電話機４の制御手段４１は、サーバー１から送出されてきた認証コードを取得する。認証コードを取得すると、制御手段４１は、送受信手段４２及びアンテナ４２１を介して認証コード取得信号を送信する。この携帯電話機４からの認証コード取得信号は、基地局３及びインターネット２を経由してサーバー１に送信される。
【００８２】
認証コード取得信号を送信すると、携帯電話機４の制御手段４１は、着信メロディー・動画再生プログラムをダウンロードするために、携帯電話機４の使用者によりダウンロード要求スイッチ４６７が操作されるのを待つ（ステップＳ１０３）。
【００８３】
上記のダウンロード要求操作がなされると、携帯電話機４の制御手段４１は、送受信手段４２及びアンテナ４２１を介して着信メロディー・動画再生プログラムダウンロード要求信号を送信する。この携帯電話機４から送信された着信メロディー・動画再生プログラムダウンロード要求信号は、基地局３及びインターネット２を経由してサーバー１に送信される。
【００８４】
通信手段１２を介して携帯電話機４からの着信メロディー・動画再生プログラムダウンロード要求信号を受信すると、サーバー１の制御手段１１は、第３のデータベース１４３に格納された着信メロディー・動画再生プログラムを読み出す（ステップＳ１０４）。そうすると、制御手段１１は、記憶手段１３に記憶された着信メロディー・動画再生プログラムダウンロードプログラムを読み出し、このプログラムに従って、通信手段１２を介して着信メロディー・動画再生プログラムを繰り出す。このサーバー１から繰り出された着信メロディー・動画再生プログラムは、インターネット２及び基地局３を経由してダウンロード要求のあった携帯電話機４に送信される。
【００８５】
アンテナ４２１及び送受信手段４２を介しての着信メロディー・動画再生プログラムの受信が完了すると、携帯電話機４の制御手段４１は、当該着信メロディー・動画再生プログラムをインストールするための操作がなされるのを待つ（ステップＳ１０５）。このインストール操作は、多方向スイッチ４６２などの操作により達成される。
【００８６】
上記のインストール操作がなされると、携帯電話機４の制御手段４１は、図４（Ａ）及び図４（Ｂ）に示すように、それまで空き状態であった不揮発性メモリー４９の第３のメモリー領域４９３に着信メロディー・動画再生プログラムをインストールする（ステップＳ１０６）。この時点で、携帯電話機４の制御手段４１の処理動作は終了する。
【００８７】
図９はインターネットを経由してサーバーから着信メロディー・動画再生プログラムをＰＣにダウンロードする際の処理動作の流れを示すフローチャートである。図９を参照して、ＰＣ５は、ポインティングデバイスのアクセス要求操作がなされるのを待つ（ステップＳ２０１）。
【００８８】
上記のアクセス要求操作がなされると、ＰＣ５は、アクセス要求信号を送信する。このＰＣ５からのアクセス要求信号は、基地局３及びインターネット２を経由してサーバー１に送信される。
【００８９】
ＰＣ５からのアクセス要求信号を受信すると、サーバー１の制御手段１１は、当該アクセス要求信号に重畳された携帯電話機４の使用者の個人情報を確認する（ステップＳ２０２）。個人情報を確認すると、制御手段１１は、認証コード送出プログラムに従って、認証コードを送出する。このサーバー１から送出された認証コードは、インターネット２及び基地局３を経由してアクセス要求のあったＰＣ５に送信される。
【００９０】
認証コードを受信すると、ＰＣ５は、サーバー１から送出されてきた認証コードを取得する。認証コードを取得すると、ＰＣ５は、認証コード取得信号を送信する。このＰＣ５からの認証コード取得信号は、基地局３及びインターネット２を経由してサーバー１に送信される。
【００９１】
認証コード取得信号を送信すると、ＰＣ５は、着信メロディー・動画再生プログラムをダウンロードするために、ポインティングデバイスのダウンロード要求操作がなされるのを待つ（ステップＳ２０３）。
【００９２】
上記のダウンロード要求操作がなされると、ＰＣ５は、着信メロディー・動画再生プログラムダウンロード要求信号を送信する。このＰＣ５から送信された着信メロディー・動画再生プログラムダウンロード要求信号は、基地局３及びインターネット２を経由してサーバー１に送信される。
【００９３】
ＰＣ５からの着信メロディー・動画再生プログラムダウンロード要求信号を受信すると、サーバー１の制御手段１１は、第３のデータベース１４３に格納された着信メロディー・動画再生プログラムを読み出す（ステップＳ２０４）。そうすると、制御手段１１は、着信メロディー・動画再生プログラムダウンロードプログラムに従って、着信メロディー・動画再生プログラムを繰り出す。このサーバー１から繰り出された着信メロディー・動画再生プログラムは、インターネット２及び基地局３を経由してダウンロード要求のあったＰＣ５に送信される。
【００９４】
着信メロディー・動画再生プログラムの受信が完了すると、ＰＣ５は、当該着信メロディー・動画再生プログラムの保存先を指定するために、ポインティングデバイスが操作されるのを待つ（ステップＳ２０５）。
【００９５】
上記の着信メロディー・動画再生プログラムの保存先指定操作がなされると、ＰＣ５は、着信メロディー・動画再生プログラムを上記ステップＳ２０５での指定先に保存する（ステップＳ２０６）。具体的には、ＨＤＤが保存先に指定された場合には、当該ＨＤＤに着信メロディー・動画再生プログラムが保存される。他方、メモリーカード６が保存先に指定された場合には、当該メモリーカード６に着信メロディー・動画再生プログラムが保存される。
【００９６】
上記のようにして、ＨＤＤに保存された着信メロディー・動画再生プログラムは、ＰＣ５に携帯電話機４に接続することによって、当該携帯電話機４にインストールされる。他方、メモリーカード６に保存された着信メロディー・動画再生プログラムは、当該メモリーカード６を携帯電話機４内に装填することによって、当該携帯電話機４にインストールされる。このように携帯電話機４にインストールされた着信メロディー・動画再生プログラムは、図４（Ａ）及び図４（Ｂ）に示すように、それまで空き状態であった不揮発性メモリー４９の第３のメモリー領域４９３に格納されて保持される。
【００９７】
図１０は携帯電話機において着信時再生着信メロディーデータ及び着信時再生動画データを設定する際の処理動作の流れを示すフローチャートである。同図に示す一連の処理は、不揮発性メモリー４９の第３のメモリー領域４９３に記憶された着信メロディー・動画再生プログラムを読み出し、この読み出した着信メロディー・動画再生プログラムに従って実行される。
【００９８】
図１０を参照して、携帯電話機４の制御手段４１は、不揮発性メモリー４９の第１のメモリー領域４９１に記憶されている複数の着信メロディーデータのうちから着信時に再生させる一の着信メロディーデータを任意に選択して設定するために、携帯電話機４の使用者により多方向スイッチ４６２などが操作されるのを待つ（ステップＳ３０１）。この操作には、上記第１のメモリー領域４９１に記憶された複数の着信メロディーデータに関するタイトルリストを表示手段４３に表示させるための操作、表示手段４３の表示面に表示された着信メロディータイトルリストをスクロールさせるなどして当該リストから好みの一の着信メロディーデータを選択するための操作、選択された一の着信メロディーデータをスピーカー４５から再生出力させるための操作及び再生出力された一の着信メロディーデータを着信時再生着信メロディーデータとして設定するための操作などが含まれる。
【００９９】
上記の着信時再生着信メロディーデータの選択設定操作がなされると、携帯電話機４の制御手段４１は、不揮発性メモリー４９の第１のメモリー領域４９１に記憶されている複数の動画データのうちから着信時に再生される一の動画データを任意に選択して設定するために、携帯電話機４の使用者により多方向スイッチ４６２などが操作されるのを待つ（ステップＳ３０２）。この操作には、上記第１のメモリー領域４９１に記憶された複数の動画データに関するタイトル画像リストを表示手段４３の表示面に表示させるための操作、表示手段４３の表示面に表示されたタイトル画像リストをスクロールなどして当該リストから好みの一の動画データを選択するための操作、選択された一の動画データを表示手段４３の表示面に再生表示させるための操作及び再生表示された一の動画データを着信時再生動画データとして設定するための操作が含まれている。
【０１００】
上記の着信時再生動画データの選択操作がなされると、携帯電話機４の制御手段４１は、着信時再生着信メロディーデータ及び着信時再生動画データが設定さたとみなしてマーキング処理を行う。その結果、図５（Ａ）及び図５（Ｂ）に示すように、不揮発性メモリー４９の第１のメモリー領域４９１では、それまでマーキングされていなかった、着信時再生着信メロディーデータとして設定された一の着信メロディーデータとそのアドレス及び着信時再生動画データとして設定された一の動画データとそのアドレスがマーキングされる。具体的には、電話着信時再生着信メロディーデータとして着信メロディーデータ「ＭＤ００１」が設定される一方、電話着信時再生動画データとして動画データ「ＤＤ００３」が設定された場合、上記第１のメモリー領域４９１において、電話着信時再生着信メロディーデータとして設定された着信メロディーデータ「ＭＤ００１」とそのアドレス「Ｍ００１」がマーキングされる一方、電話着信時再生動画データとして設定された動画データ「ＤＤ００３」とそのアドレス「Ｄ００１」がマーキングされる。また、電子メール着信時再生着信メロディーデータとして着信メロディーデータ「ＭＤ００２」が設定さる一方、電子メール着信時再生動画データとして動画データ「ＤＤ００２」が設定された場合、上記第１のメモリー領域４９１において、電子メール着信時再生着信メロディーデータとして設定された着信メロディーデータ「ＭＤ００２」とそのアドレス「Ｍ００２」がマーキングされる一方、着信時再生動画データとして設定された動画データ「ＤＤ００２」とそのアドレス「Ｄ００２」がマーキングされる。
【０１０１】
再び図１０を参照して、着信時再生着信メロディーデータ及び着信時再生動画データの両者が設定されると、携帯電話機４の制御手段４１は、着信時再生着信メロディーデータとして設定された一の着信メロディーデータ及び着信時再生動画データとして設定された一の動画データを１組のデータとして、不揮発性メモリー４９の第２のメモリー領域４９２に格納する（ステップＳ３０３）。具体的には、図５（Ａ）及び図５（Ｂ）に示すように、電話着信時再生着信メロディーとして設定された着信メロディーデータ「ＭＤ００１」及び電話着信時再生動画データとして設定された動画データ「ＤＤ００３」は、電話着信アドレス「ＰＴ０１」に対応付けて、上記第２のメモリー領域４９２に１組のデータとして書き込まれる。他方、電子メール着信時再生着信メロディーとして設定された着信メロディーデータ「ＭＤ００２」及び電子メール着信時動画データとして設定された動画データ「ＤＤ００２」は、電子メール着信アドレス「ＭＴ０１」に対応付けて、上記第２のメモリー領域４９２に１組のデータとして書き込まれる。このようにして第２のメモリー領域４９２に１組のデータとして格納された着信時再生着信メロディー及び着信時再生動画データは、その書き換えがあるまで当該第２のメモリー領域４９２に保持し続けられる。
【０１０２】
なお、相手先の電話番号や電子メールアドレス毎に着信時再生着信メロディーデータ及び着信時再生動画データを１組のデータとして、不揮発性メモリー４９の第２のメモリー領域４９２に格納保持するようにしても構わない。
【０１０３】
図１１は携帯電話機において着信を契機として着信メロディー及び動画を再生させる際の処理動作の流れを示すフローチャートである。同図に示す一連の処理は、不揮発性メモリー４９の第３のメモリー領域４９３に記憶された着信メロディー・動画再生プログラムを読み出し、この読み出した着信メロディー・動画再生プログラムに従って実行される。
【０１０４】
図１１を参照して、携帯電話機４の制御手段４１は、着信があるのを待つ（ステップＳ４０１）。
【０１０５】
着信があると、携帯電話機４の制御手段４１は、着信態様を判別する（ステップＳ４０２）。着信態様が電話着信である場合には、制御手段４１は、処理をステップＳ４０３に移す。他方、着信太陽が電子メール着信である場合には、制御手段４１は、処理をステップＳ４０９に移す。
【０１０６】
ステップＳ４０３に移行すると、携帯電話機４の制御手段４１は、不揮発性メモリー４９の第２のメモリー領域４９２において、１組のデータとして格納保持されている、電話着信時再生着信メロディーデータとして設定された一の着信メロディーデータ及び電話着信時再生動画データとして設定された一の動画データを読み出す。具体的には、制御手段４１は、電話着信アドレスにアクセス「ＰＴ０１」（図５（Ｂ）参照）し、このアクセスされた電話着信アドレス「ＰＴ０１」に対応付けられて、１組のデータとして上記第２のメモリー領域４９２に記憶された電話着信時再生着信メロディーデータ及び電話着信時再生動画データを読み出す。
【０１０７】
電話着信時再生メロディーデータ及び電話着信時再生動画データを読み出すと、携帯電話機４の制御手段４１は、電話着信時再生着信メロディーデータとして設定された一の着信メロディー及び電話着信時再生動画データとして設定された一の動画データを同時に再生する（ステップＳ４０４）。その結果、スピーカー４５からは、電話着信時再生着信メロディーデータとして設定された一の着信メロディーデータが再生出力される。これに連動して、表示手段４３の表示面には、電話着信時再生動画データとして設定された一の動画データが再生表示される。
【０１０８】
電話着信時再生着信メロディー及び電話着信時再生動画データの再生を開始すると、携帯電話機４の制御手段４１は、携帯電話機４の使用者により受話ボタンスイッチ４６３が操作されるのを待つ（ステップＳ４０５及びステップＳ４０６）。
【０１０９】
上記の受話操作がなされると（ステップＳ４０５でＹＥＳ）、携帯電話機４の制御手段４１は、電話着信時再生着信メロディーデータとして設定された一の着信メロディーデータ及び電話着信時再生動画データとして設定された一の動画データの両者の再生を終了する（ステップＳ４０８）。他方、上記の受話操作がなされる前に相手先から回線が切断されると（ステップＳ４０６でＹＥＳ）、制御手段４１は、表示手段４３の表示面に所要の態様で不在着信表示を行うと共に、電話着信時再生着信メロディーとして設定された一の着信メロディーデータ及び電話着信時再生動画データとして設定された一の動画データの両者の再生を終了する（ステップＳＳ４０７及びステップＳ４０８）。
【０１１０】
ステップＳ４０９に移行すると、携帯電話機４の制御手段４１は、不揮発性メモリー４９の第２のメモリー領域４９２において、１組のデータとして格納保持されている、電子メール着信時再生着信メロディーデータとして設定された一の着信メロディーデータ及び電子メール着信時再生動画データとして設定された一の動画データを読み出す。具体的には、制御手段４１は、電子メール着信アドレス「ＭＴ０１」（図５（Ｂ）参照）にアクセスし、このアクセスされた電子メール着信アドレス「ＭＴ０１」に対応付けられて、１組のデータとして上記第２のメモリー領域４９２に記憶された電話着信時再生着信メロディーデータ及び電話着信時再生動画データを読み出す。
【０１１１】
電子メール着信時再生メロディーデータ及び電子メール着信時再生動画データを読み出すと、携帯電話機４の制御手段４１は、電子メール着信時再生着信メロディーデータとして設定された一の着信メロディー及び電子メール着信時再生動画データとして設定された一の動画データを同時に再生する（ステップＳ４１０）。その結果、スピーカー４５からは、電子メール着信時再生着信メロディーデータとして設定された一の着信メロディーデータが再生出力される。これに連動して、表示手段４３の表示面には、電子メール着信時再生動画データとして設定された一の動画データが再生表示される。
【０１１２】
電子メール着信時再生着信メロディーデータ及び電子メール着信時動画データを再生すると、携帯電話機４の制御手段４１は、多方向スイッチ４６２などでの受信操作がなされるのを待つ（ステップＳ４１１及びステップＳ４１２）。
【０１１３】
上記の受信操作がなされると（ステップＳ４１１でＹＥＳ）、携帯電話機４の制御手段４１は、電子メール着信時再生着信メロディーデータとして設定された一の着信メロディーデータ及び電子メール着信時再生動画データとして設定された一の動画データの両者の再生を終了する（ステップＳ４１４）。他方、上記の受信操作がなされる前に自動受信が終了すると（ステップＳ４０６でＹＥＳ）、制御手段４１は、表示手段４３の表示面に所要の態様でメール着信表示を行うと共に、電子メール着信時再生着信メロディーとして設定された一の着信メロディーデータ及び電子メール着信時再生動画データとして設定された一の動画データの両者の再生を終了する（ステップＳＳ４１３及びステップＳ４１４）。
【０１１４】
本実施の形態では、上述した様々な手法を用いることによって、携帯電話機４内の不揮発性メモリー４９の第１のメモリー領域４９１には複数の着信メロディーデータ及び複数の動画データが記憶される一方、不揮発性メモリー４９の第３のメモリー領域４９３には着信メロディー・動画再生プログラムがインストールされる。携帯電話機４において、着信メロディーデータの選択設定操作がなされることにより、不揮発性メモリー４９の第１のメモリー領域４９１に記憶されている複数の着信メロディーデータのうちから着信時に再生させる一の着信メロディーデータを任意に選択して設定すると共に、動画データの選択設定操作がなされることにより、不揮発性メモリー４９の第１のメモリー領域４９１に記憶されている複数の動画データのうちから着信時に再生させる一の動画データを任意に選択して設定すると、これら着信時再生着信メロディーデータとして設定された一の着信メロディーデータ及び着信時再生動画データとして設定された一の動画データは、１組のデータとして不揮発性メモリー４９の第２のメモリー領域４９２に格納される。これら第２のメモリー領域４９２に１組のデータとして格納された一の着信メロディーデータ及び一の動画データは、その書き換えが行われるまで保持し続けられる。この状態で、上記携帯電話機４に着信があると、これを契機に、上記第２のメモリー領域４９２において、１組のデータとして格納保持されている、着信時再生着信メロディーデータとして設定された一の着信メロディーデータ及び着信時再生動データとして設定された一の動画データが読み出されると共にこれら読み出された一の着信メロディーデータ及び一の動画データの両者が再生される。このとき、着信メロディーと連動して再生される動画は、携帯電話機４の使用者の好みに応じてカスタマイズされたものとなる。このように、インターネット２を経由することなく、携帯電話機４単独で、着信時に着信メロディーと共に再生される動画をカスタマイズして、他の携帯電話機の使用者との着信報知態様を差別化することができる。
【０１１５】
なお、本発明は上記実施の形態に限定されるものではない。
【０１１６】
例えば、携帯電話機内に３つの不揮発性メモリーを用意しておき、第１の不揮発性モモリーに複数の着信メロディーデータ及び複数の動画データを記憶させ、第２の不揮発性メモリーに着信時再生着信メロディー及び着信時再生動画データを１組のデータとして記憶させ、第３の不揮発性メモリーに着信メロディー・動画再生プログラムを記憶させるようにしてもよい。
【０１１７】
また、携帯電話機内に２つの不揮発性メモリーを用意しておき、第１の不揮発性メモリーに２つのメモリー領域を形成して、第１のメモリー領域には複数の着信メロディーデータ及び動画データを記憶させる一方、第２のメモリー領域には着信時再生着信メロディーデータ及び着信時再生動画データを１組のデータとして記憶させ、第２の不揮発性メモリーに着信メロディー・動画再生プログラムを記憶させてもよい。
【０１１８】
さらに、携帯電話機にＣＣＤビデオカメラが搭載されている場合には、このＣＣＤビデオカメラで撮影した動画データを不揮発性メモリーに記憶可能とし、この不揮発性メモリーに記憶された動画データを着信時再生動画データと設定して、着信時に着信時再生着信メロディーの再生と同時に当該動画データの再生を行うようにしてもよい。この場合、着信メロディーに連動して再生される動画は、オリジナリティーに溢れたものとなる。
【０１１９】
さらに、デジタルビデオカメラで撮影した動画データを一旦ＰＣに保存し、このＰＣ５に保存されたメモリーカードなどを用いて携帯電話機４の不揮発性メモリーにコピーし、このコピーした動画データを着信時再生動画データとして設定して、着信時に着信メロディーデータの再生とリンクさせて当該動画データの再生を行うようにしてもよい。この場合も、着信メロディーと連動して再生される動画は、オリジナリティーに富んだものとなる。但し、上記動画データは、ＰＣ５からインターネットサイトにアクセスして携帯電話機４の動画再生規格に適合するように、当該動画データのフォーマットを変換する必要がある。
【０１２０】
その他、本明細書に添付した特許請求の範囲内での種々の設計変更及び修正を加え得ることは勿論である。
【産業上の利用可能性】
【０１２１】
本発明では、ネットワークを経由することなく、携帯電話機単独で着信メロディーと連動して再生される動画をカスタマイズして他の携帯電話機の使用者との差別化を図ることができるゆえ、携帯電話機の着信時に着信メロディー及び動画を再生させるための技術として有用である。
【図面の簡単な説明】
【０１２２】
【図１】本発明が適用されるシステムの構成を簡略化して示す図
【図２】サーバーのハードウェアー構成を示すブロック図
【図３】携帯電話機のハードウェアー構成を示すブロック図
【図４】着信メロディー・動画再生プログラムのインストールメカニズムを説明するための図
【図５】着信時再生着信メロディーデータ及び着信時再生動画データの格納メカニズムを説明するための図
【図６】インターネットを経由してサーバーから着信メロディーデータ及び動画データを携帯電話機にダウンロードする際の処理動作の流れを示すフローチャート
【図７】インターネットを経由してサーバーから着信メロディーデータ及び動画データをＰＣにダウンロードする際の処理動作の流れを示すフローチャート
【図８】インターネットを経由してサーバーから着信メロディー・動画再生プログラムを携帯電話機にダウンロードする際の処理動作の流れを示すフローチャート
【図９】インターネットを経由してサーバーから着信メロディー・動画再生プログラムをＰＣにダウンロードする際の処理動作の流れを示すフローチャート
【図１０】携帯電話機において着信時再生着信メロディーデータ及び着信時再生動画データを設定する際の処理動作の流れを示すフローチャート
【図１１】携帯電話機において着信を契機に着信メロディー及び動画を再生する際の処理動作の流れを示すフローチャート
【符号の説明】
【０１２３】
１  サーバー
１１  制御手段
１３  記憶手段
１４１〜１４４  データベース
２  インターネット
３  基地局
４  携帯電話機
４１  制御手段
４３  表示手段
４５  スピーカー
４６  操作手段
４７  ＲＯＭ
４８  ＲＡＭ
４９  不揮発性メモリー
４９１〜４９３  メモリー領域
５  ＰＣ
６  メモリーカード
【図１】
2006174044.tif 000003
【図２】
2006174044.tif 000004
【図３】
2006174044.tif 000005
【図４】
2006174044.tif 000006
【図５】
2006174044.tif 000007
【図６】
2006174044.tif 000008
【図７】
2006174044.tif 000009
【図８】
2006174044.tif 000010
【図９】
2006174044.tif 000011
【図１０】
2006174044.tif 000012
【図１１】
2006174044.tif 000013